(57)【要約】【課題】被投写面へ向かう光束が通過する開口部にカバーが配される構成とした場合に、当該カバーに起因する画質劣化を抑制できる投写型表示装置を提供する。【解決手段】プロジェクタは、光源ランプ１２１から出射された光束を変調するＤＭＤ１３４と、ＤＭＤ１３４により変調された光束を被投写面に拡大投写する投写光学ユニット１５と、本体キャビネット１に形成され、投写光学ユニット１５から出射された光束が通過する投写口４と、投写口４に配され、光束が透過するカバーレンズ５００と、を備える。ここで、カバーレンズ５００の入射面５０１が、当該入射面５０１が平面形状である場合に比べてカバーレンズ５００を透過する各主光線の入射角度が小さくなる曲面形状に形成される。また、出射面５０２が、当該出射面５０２が平面形状である場合に比べてカバーレンズ５００を透過する各主光線の出射角度が小さくなる曲面形状に形成される。【選択図】図６
2013088727.tif 000002
【特許請求の範囲】
【請求項１】
光源から出射された光束を変調する光変調素子と、
前記光変調素子により変調された光束を被投写面に拡大投写する投写部と、
前記光変調素子および前記投写部が配される本体キャビネットと、
前記本体キャビネットに形成され、前記投写部から出射された光束が通過する開口部と、
前記開口部に配され、前記投写部から出射された光束が透過するカバーと、
を備え、
前記カバーの入射面が、当該入射面が平面形状である場合に比べて前記カバーを透過する各主光線の入射角度が小さくなる曲面形状に形成され、
前記カバーの出射面が、当該出射面が平面形状である場合に比べて前記カバーを透過する各主光線の出射角度が小さくなる曲面形状に形成される、
ことを特徴とする投写型表示装置。
【請求項２】
請求項１に記載の投写型表示装置において、
前記カバーの入射面が、前記各主光線の入射角度が０度となる曲面形状に形成され、
前記カバーの出射面が、前記各主光線の出射角度が０度となる曲面形状に形成される、ことを特徴とする投写型表示装置。
【請求項３】
請求項１または２に記載の投写型表示装置において、
前記カバーの入射面に、反射防止膜が形成される、
ことを特徴とする投写型表示装置。
【請求項４】
請求項１ないし３の何れか一項に記載の投写型表示装置において、
前記投写部は、前記光変調素子から出射された光束が入射する投写レンズ部と、当該投写レンズ部を透過した光束を反射して被投写面へと向かわせる、反射面が曲面形状のミラー部とを含む、
ことを特徴とする投写型表示装置。
【発明の詳細な説明】
【技術分野】
【０００１】
本発明は、光源から出射された光束を光変調素子によって変調し、被投写面に拡大投写する投写型表示装置に関する。
【背景技術】
【０００２】
従来、投写型表示装置（以下、「プロジェクタ」という）では、光源から出射された光束が光変調素子よって変調され、投写光学系によって被投写面に投写される。
【０００３】
かかるプロジェクタにおいて、投写距離を短縮するため、投写光学系の広角化が図られている。たとえば、投写光学系は、複数のレンズからなる投写レンズユニットと、投写レンズユニットから出射された光束を、反射しつつ拡大させる反射ミラーとにより構成される。
【０００４】
投写レンズユニットおよび反射ミラーは、本体キャビネット内に配される。本体キャビネットには、反射ミラーで反射され被投写面へ向かう光束を通過させる開口部が形成される。開口部には、透明なカバーが取り付けられ、反射ミラーで反射された光束が、カバーを透過して外部に放出される。カバーは、たとえば、光束の入射面および出射面が平坦な平板で形成される（たとえば、特許文献１参照）。
【先行技術文献】
【特許文献】
【０００５】
【特許文献１】特開２０１１−２６５０号公報
【発明の概要】
【発明が解決しようとする課題】
【０００６】
上記のように、開口部にカバーが配され、そのカバーが平板で形成されるような構成とされた場合、被投写面に向かう光束を構成する各光線、即ち、それら光線における主光線の多くは、カバーの入射面に斜め方向から入射する。これにより、たとえば、図１０（ａ）に示すように、カバーに入射した各光線の一部がカバー内面で反射を繰り返し、各光線が多重状態でカバーから出射され、その結果、被投写面に多重画像が生じる虞がある。また、図１０（ｂ）に示すように、各光線における色成分（波長成分）の屈折率の違いによりカバー入射面において色分離（倍率色収差）が生じる虞がある。さらに、図１０（ｃ）に示すように、各光線の光路にカバーが介在されると、各光線の光路長が延びるため、像面の位置が後方に変位する。このとき、カバーの入射面に斜め方向から主光線が入射する光線は、カバーの入射面にほぼ垂直に主光線が入射する光線に比べて、光路長が長く延びるため、像面の後方へ変位が大きくなり、その結果、各光線により形成される像面に像面湾曲収差が生じる虞がある。
【０００７】
本発明は、このような課題に鑑みてなされたものであり、被投写面へ向かう光束が通過する開口部にカバーが配される構成とした場合に、当該カバーに起因する画質劣化を抑制できる投写型表示装置を提供することを目的とする。
【課題を解決するための手段】
【０００８】
本発明の投写型表示装置は、光源から出射された光束を変調する光変調素子と、前記光変調素子により変調された光束を被投写面に拡大投写する投写部と、前記光変調素子および前記投写部が配される本体キャビネットと、前記本体キャビネットに形成され、前記投写部から出射された光束が通過する開口部と、前記開口部に配され、前記投写部から出射
された光束が透過するカバーと、を備える。ここで、前記カバーの入射面が、当該入射面が平面形状である場合に比べて前記カバーを透過する各主光線の入射角度が小さくなる曲面形状に形成される。また、前記カバーの出射面が、当該出射面が平面形状である場合に比べて前記カバーを透過する各主光線の出射角度が小さくなる曲面形状に形成される。
【０００９】
本発明の投写型表示装置によれば、カバーを透過する各主光線が、カバーが平板である場合に比べて、小さな入射角度でカバーの入射面に入射するとともに、小さな出射角度でカバーの出射面から出射される。
【００１０】
これにより、投写部から出射された光束を構成する各光線がカバー内面で反射を繰り返すことが抑制されるので、多重画像の発生が抑制される。また、カバー入射面での各光線の屈折が抑制されるので、色分離の発生を抑制することができる。さらに、カバーが介在することによる光路長の延びの各光線間における差が小さくなるので、各光線の結像位置が前後にずれることが抑制される。よって、各光線により形成される像面に像面湾曲収差が生じることが抑制される。
【００１１】
本発明の投写型表示装置は、さらに、前記カバーの入射面が、前記各主光線の入射角度が０度となる曲面形状に形成され、前記カバーの出射面が、前記各主光線の出射角度が０度となる曲面形状に形成されるような構成とされ得る。
【００１２】
なお、請求項２において、「入射角度が０度」には、入射角度を０度に近い角度（略０度）とする概念が含まれるとともに、「出射角度が０度」には、出射角度を０度に近い角度（略０度）とする概念が含まれる。
【００１３】
このような構成とすれば、多重画像、色分離および像面湾曲収差の発生をより一層、抑制することができる。
【００１４】
本発明の投写型表示装置は、さらに、前記カバーの入射面に、反射防止膜が形成されるような構成とされ得る。
【００１５】
このような構成とすれば、カバーの入射面での光束の反射が抑制される。ここで、反射防止膜の表面に、斜め方向から各主光線が入射した場合には、各光線の色成分（波長成分）によって反射防止効果に差異が生じる。こうなると、各色成分の光線によってカバーを透過する量が相違し、投写された画像に色むらが生じる虞がある。この点、上記の構成では、反射防止膜の表面に対する各主光線の入射角度が小さくなるので、反射防止効果に差異が生じることを抑制でき、投写された画像に色むらが生じることを抑制できる。
【００１６】
本発明の投写型表示装置において、前記投写部は、前記光変調素子から出射された光束が入射する投写レンズ部と、当該投写レンズ部を透過した光束を反射して被投写面へと向かわせる、反射面が曲面形状のミラー部とを含むような構成とされ得る。
【００１７】
このような構成とすれば、投写レンズ部とミラー部とにより、光変調素子から出射された光束の広角化を図ることができ、投写距離を短くすることができる。
【００１８】
このように、投写部によって光束がより広角化される構成とされた場合、各主光線がより斜め方向から（より大きな入射角度で）カバーに入射しやすくなる。
【００１９】
上記構成とすれば、カバーの入射面への各主光線の入射角度および出射面からの各主光線の出射角度を小さくできるので、光変調素子から出射された光束の広角化を図りつつ、多重画像、色分離および像面湾曲収差の発生を抑制することができる。
【発明の効果】
【００２０】
以上のとおり、本発明によれば、被投写面へ向かう光束が通過する開口部にカバーが配される構成とした場合に、当該カバーに起因する画質劣化を抑制できる投写型表示装置を提供することができる。
【００２１】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【図面の簡単な説明】
【００２２】
【図１】実施の形態に係るプロジェクタの外観構成を示す図である。
【図２】実施の形態に係るプロジェクタの内部構造を示す図である。
【図３】実施の形態に係る光変調ユニットの構成を模式的に示す図である。
【図４】実施の形態に係る投写光学ユニットの構成を模式的に示す図である。
【図５】実施の形態に係る反射ミラーおよびカバーレンズの構成を示す図である。
【図６】実施の形態に係るカバーレンズの構成を示す図である。
【図７】変更例に係る反射ミラーおよびカバーレンズの構成を示す図である。
【図８】変更例に係るカバーレンズの構成を示す図である。
【図９】その他の変更例に係るプロジェクタの構成を示す図である。
【図１０】カバーが平板で形成された場合に生じる課題について説明するための図である。
【発明を実施するための形態】
【００２３】
以下、図面を参照して、本発明の実施の形態について説明する。
【００２４】
なお、以下、「光束」との表現が望ましい場合を除き、「光束」を、単に「光」という。
【００２５】
図１および図２は、プロジェクタの外観構成を示す図である。図１（ａ）は、前方から見たプロジェクタの斜視図であり、図１（ｂ）は後方から見たプロジェクタの斜視図である。また、図２は、プロジェクタの底面図である。なお、説明の便宜上、図１（ａ）、（ｂ）および図２には、ぞれぞれ、前後左右の方向を示す矢印や上下の方向を示す矢印が描かれている。以下、同様に、他の図面においても、必要に応じて、方向を示す矢印が描かれる。
【００２６】
本実施の形態のプロジェクタは、いわゆる短焦点投写型のプロジェクタである。図１を参照して、プロジェクタは、略直方体形状を有する本体キャビネット１を備えている。本体キャビネット１は、下キャビネット２と、下キャビネット２に上方から被せられる上キャビネット３とで構成されている。
【００２７】
本体キャビネット１の上面には、後方に向けて下る第１傾斜面１ａと、この第１傾斜面１ａに続いて後方に向けて上る第２傾斜面１ｂが形成されている。第２傾斜面１ｂは上斜め前方を向いており、この第２傾斜面１ｂに投写口４が形成されている。投写口４から上斜め前方へ出射された映像光が、プロジェクタの前方に配されたスクリーンに拡大投写される。投写口４にはカバーレンズ５００が配されている。カバーレンズ５００の構成については、追って説明する。
【００２８】
また、本体キャビネット１の上面には、ランプ用カバー５が設けられている。ランプ用カバー５は、ランプユニットを交換するためのランプ用開口を覆う。さらに、本体キャビ
ネット１の上面には、複数の操作キーからなる操作キー部６が設けられている。
【００２９】
本体キャビネット１の右側面には、端子部７が形成されている。端子部７には、ＡＶ端子等の各種の端子が配されている。プロジェクタには、ＡＶ端子を通じて、映像信号や音声信号などのＡＶ（Audio Visual）信号が入出力される。また、本体キャビネット１の右側面には、端子部７の上方に、吸気口８が設けられている。吸気口８を通じて外気が本体キャビネット１内に取り込まれる。
【００３０】
本体キャビネット１の左側面には、前部および中央部に排気口９、１０が設けられている。これら排気口９、１０を通じて本体キャビネット１内部の空気が機外に排出される。また、本体キャビネット１の後面には、出音口１１が形成されている。
【００３１】
図２は、プロジェクタの内部構造を示す図である。同図は、前方から見た、上キャビネット３が取り外された状態の斜視図である。なお、便宜上、図２には、光変調ユニット１３および投写光学ユニット１５が点線にて描かれている。
【００３２】
図２を参照して、下キャビネット２の前部には、ランプユニット１２と、ランプユニット１２から出射された光を変調して映像光を生成する光変調ユニット１３とが配されている。
【００３３】
ランプユニット１２は、光源ランプ１２１（図３参照）と、光源ランプを保持するランプホルダにより構成されている。ランプユニット１２は、上方から着脱できるよう、下キャビネット２に保持されている。
【００３４】
図３は、光変調ユニット１３の構成を模式的に示す図である。
【００３５】
光変調ユニット１３は、カラーホイール１３１と、ライトトンネル１３２と、リレー光学系１３３と、ＤＭＤ（デジタル・マイクロミラー・デバイス）１３４とを含む。
【００３６】
カラーホイール１３１は、光源ランプ１２１からの白色光を、赤、緑、青等の各色光に時分割で分離する。ライトトンネル１３２は、内部が中空であり、内面が鏡面とされている。ライトトンネル１３２に入射した光は、内部を通過する際に反射を繰り返し、強度分布が均一化される。
【００３７】
リレー光学系１３３は、２つのリレーレンズ１３３ａ、１３３ｂと２つの凹面ミラー１３３ｃ、１３３ｄにより構成されており、ライトトンネル１３２から出射された光をＤＭＤ１３４に導く。ＤＭＤ１３４は、リレー光学系１３３によって導かれた光（赤、緑、青等の各色光）を、映像信号に基づいて変調する。
【００３８】
図３に戻り、光変調ユニット１３は、制御回路ユニット１４の上方に配されている。制御回路ユニット１４には、光源ランプ１２１やＤＭＤ１３４などの各種駆動部品を制御するための制御回路が配されている。
【００３９】
光変調ユニット１３の後方には、投写光学ユニット１５が配されている。ＤＭＤ１３４により変調された光束（以下、「映像光」という）が、投写光学ユニット１５に入射する。投写光学ユニット１５は、入射した映像光を拡大し、スクリーン等の被投写面に投写する。
【００４０】
投写光学ユニット１５の左方には、電源ユニット１６およびスピーカーユニット１７が配されている。電源ユニット１６は、電源回路を備えており、プロジェクタの各電装部品
に電源の供給を行う。スピーカーユニット１７からは、投写時に映像に対応する音声が出力され、出力された音声は出音口１１より外部に放出される。
【００４１】
図４は、投写光学ユニット１５の構成を模式的に示す図である。なお、同図には、投写光学ユニット１５に加えて、光変調ユニット１３、制御回路ユニット１４が模式的に描かれている。
【００４２】
投写光学ユニット１５は、投写レンズユニット２００と、反射ミラー３００と、ハウジング４００とにより構成されている。
【００４３】
投写レンズユニット２００は、複数のレンズ２０１を有している。反射ミラー３００は、曲面ミラーである。ハウジング４００は、投写レンズユニット２００および反射ミラー３００を収容する。ハウジング４００には、映像光が出射される出射口４０１が形成されている。
【００４４】
ハウジング４００の出射口４０１は、カバーレンズ５００により覆われている。上キャビネット３が、下キャビネット２に装着されると、カバーレンズ５００が、投写口４に内側から嵌め込まれる。
【００４５】
図５および図６は、反射ミラー３００およびカバーレンズ５００の構成を説明するための図である。
【００４６】
図５（ａ）は、投写光学ユニット１５を上方から見た模式図であり、図５（ｂ）は、投写光学ユニット１５を側方から見た模式図である。図５では、便宜上、ハウジング４００が図示省略されている。また、図５（ｂ）には、図５（ａ）のＡ−Ａ´線で切断された反射ミラー３００およびカバーレンズ５００が示されている。
【００４７】
図６（ａ）および（ｂ）は、それぞれ、カバーレンズ５００の入射面５０１および出射面５０２の形状を模式的に示す、カバーレンズ５００の縦断面図および横断面図である。
【００４８】
図５（ａ）および（ｂ）に示すように、光変調ユニット１３から出射された映像光は、投写レンズユニット２００の光軸Ｌから本体キャビネット１の上面方向にシフトした位置において、投写レンズユニット２００に入射する。入射した映像光は、投写レンズユニット２００によってレンズ作用を受け、光軸Ｌから本体キャビネット１の底面方向にシフトした位置において、投写レンズユニット２００から出射される。
【００４９】
反射ミラー３００は、投写レンズユニット２００の光軸Ｌから本体キャビネット１の底面側にシフトするように配されている。投写レンズユニット２００から出射された映像光は、上下方向および左右方向に拡がりながら反射ミラー３００に入射する。
【００５０】
反射ミラー３００は、その反射面３０１が凹曲面に形成されており、映像光は、反射面３０１で反射されることにより広角化され、カバーレンズ５００を透過して、被投写面（スクリーン面）へと向かう。このとき、映像光は、反射ミラー３００での反射により、上下方向において、一旦収束された後に再び拡がりながら被投写面へと向かう。本実施の形態では、図５（ｂ）に示すように、映像光が最も収束する位置Ｆが、カバーレンズ５００よりも反射ミラー３００側となるように、反射ミラー３００とカバーレンズ５００との位置関係が設定されている。
【００５１】
カバーレンズ５００は、正面から見て略横長の長方形状を有しており、映像光が透過するよう透明な樹脂材料（シクロオレフィンポリマー、ポリカーボネート等）またはガラス
材料で形成されている。また、カバーレンズ５００は、肉厚が略一定となるように形成されている。
【００５２】
図５（ａ）および（ｂ）に示すように、映像光は、上下方向および左右方向に拡散しながらカバーレンズ５００に入射する。このような映像光の出射状態に対応するよう、カバーレンズ５００の入射面５０１は、上下方向および左右方向ともに映像光の進行方向に向けて凹むような曲面形状に形成されており、出射面５０２は、上下方向および左右方向ともに映像光の進行方向に向けて突出するような曲面形状に形成されている。また、入射面５０１および出射面５０２は、上下方向に比べて左右方向が緩やかに湾曲している。
【００５３】
カバーレンズ５００の入射面５０１には、反射防止膜であるＡＲコート（AntiReflection Coating）５０３が施されている。ＡＲコート５０３は、光の干渉により入射面５０１での反射を低減させる。
【００５４】
カバーレンズ５００の入射面５０１および出射面５０２の詳細な面形状を、図６（ａ）および（ｂ）を用いて説明する。
【００５５】
図６（ａ）および（ｂ）に示すように、カバーレンズ５００の入射面５０１は、映像光を構成する各光線における主光線の方向ベクトルと入射面５０１とのなす角度が略垂直となるよう、即ち、入射面５０１に入射する各主光線の入射角度が略０度（たとえば、０±５度）となるような曲面形状に形成されている。また、カバーレンズ５００の出射面５０２は、各主光線の方向ベクトルと出射面５０２とのなす角度が略垂直となるよう、即ち、出射面５０２から出射される各主光線の出射角度が略０度（たとえば、０±５度）となるような曲面形状に形成されている。
【００５６】
なお、映像光を構成する各光線の出射方向は、投写レンズユニット２００および反射ミラー３００の設計により決まってくる。よって、カバーレンズ５００の入射面５０１および出射面５０２は、各光線の出射状態に合わせて、入射角度および出射角度が略０度となるように、球面形状、非球面形状、トーリーック面形状、トロイド面形状、自由曲面形状など、各種の面形状に形成され得る。
【００５７】
このように、本実施の形態では、上下方向および左右方向に拡散しながらカバーレンズ５００を透過する映像光に対し、カバーレンズ５００の入射面５０１が、各主光線の入射角度が略０度となるような曲面形状に形成され、出射面５０２が、各主光線の出射角度が略０度となるような曲面形状に形成されている。
【００５８】
これにより、図５（ａ）および（ｂ）に示すように、カバーレンズ５００の介在による各光線の光路長の延びが略等しくなるので、カバーレンズ５００が平板状に形成される場合と違って（図１０（ｃ）参照）、各光線の結像位置が前後にずれることが抑制される。よって、各光線により形成される像面に像面湾曲収差が生じることが抑制される。
【００５９】
また、カバーレンズ５００が平板状に形成される場合と違って（図１０（ａ）参照）、カバーレンズ５００に入射した各光線の一部がカバーレンズ５００の内面で反射を繰り返すことが抑制されるので、被投写面に多重画像が生じることが抑制される。
【００６０】
さらに、カバーレンズ５００が平板状に形成される場合と違って（図１０（ｂ）参照）、カバーレンズ５００の入射面５０１において、色分離（倍率色収差）が生じることが抑制される。
【００６１】
さらに、カバーレンズ５００の入射面５０１には、ＡＲコート５０３が施されているが
、上記実施の形態では、入射面５０１への主光線の入射角度が略０度となるため、各光線がＡＲコート５０３の表面に斜め方向から入射することにより生じる色むらの発生を抑制することができる。
【００６２】
したがって、本実施の形態によれば、投写口４にカバーレンズ５００が配される構成とした場合に、カバーレンズ５００に起因する画質劣化を抑制することができる。
【００６３】
＜変更例＞
図７および図８は、変更例に係るカバーレンズ５５０の構成を説明するための図である。
【００６４】
図７（ａ）は、投写光学ユニット１５を上方から見た模式図であり、図７（ｂ）は、投写光学ユニット１５を側方から見た模式図である。図７では、便宜上、ハウジング４００が図示省略されている。また、図７（ｂ）には、図７（ａ）のＡ−Ａ´線で切断された反射ミラー３００およびカバーレンズ５５０が示されている。
【００６５】
図８（ａ）および（ｂ）は、それぞれ、カバーレンズ５５０の入射面５５１および出射面５５２の形状を模式的に示す、カバーレンズ５５０の縦断面図および横断面図である。なお、図８（ａ）では、カバーレンズ５５０から像面までの間において、各光線の光路の一部が省略されており、省略された部分が破線にて示されている。
【００６６】
本変更例では、図７（ｂ）に示すように、映像光が最も収束する位置Ｆが、カバーレンズ５５０よりも被投写面側となるように、反射ミラー３００とカバーレンズ５５０との位置関係が設定されている。このため、映像光は、図７（ａ）に示すように、左右方向においては拡散しながらカバーレンズ５００に入射するが、図７（ｂ）に示すように、上下方向においては収束しながらカバーレンズ５５０に入射する。このような映像光の出射状態に対応するよう、カバーレンズ５５０の入射面５５１は、左右方向には映像光の進行方向に向けて凹み、上下方向には映像光の進行方向と反対方向に向けて突出するような曲面形状に形成されている。また、出射面５５２は、左右方向には映像光の進行方向に向けて突出し、上下方向には映像光の進行方向と反対方向に向けて凹むような曲面形状に形成されている。入射面５５１および出射面５５２は、上下方向に比べて左右方向が緩やかに湾曲している。
【００６７】
カバーレンズ５５０の入射面５５１および出射面５５２のより詳細な面形状について説明する。図８（ａ）および（ｂ）に示すように、入射面５５１は、映像光を構成する各光線における主光線の方向ベクトルと入射面５５１とのなす角度が略垂直となるよう、即ち、入射面５５１に入射する各主光線の入射角度が略０度（たとえば、０±５度）となるような曲面形状に形成されている。また、出射面５５２は、各主光線の方向ベクトルと出射面５５２とのなす角度が略垂直となるよう、即ち、出射面５５２から出射される各主光線の出射角度が略０度（たとえば、０±５度）となるような曲面形状に形成されている。
【００６８】
なお、図７（ｂ）に示すように、カバーレンズ５５０の入射面５５１には、上記実施の形態と同様、ＡＲコート５５３が施されている。
【００６９】
このように、本変更例では、左右方向には拡散し上下方向には収束しながらカバーレンズ５５０を透過する映像光に対し、カバーレンズ５５０の入射面５５１が、各主光線の入射角度が略０度となるような曲面形状に形成され、出射面５５２が、各主光線の出射角度が略０度となるような曲面形状に形成されている。これにより、上記実施の形態と同様、像面湾曲収差、多重画像、色分離、および色むらの発生を抑制することができ、カバーレンズ５５０に起因する画質劣化を抑制することができる。
【００７０】
＜その他＞
以上、本発明の実施の形態について説明したが、本発明は、上記実施の形態に限定されるものではない。また、本発明の実施の形態も、特許請求の範囲に示された技術的思想の範囲内において、適宜、種々の変更が可能である。
【００７１】
たとえば、カバーレンズ５００の入射面５０１および出射面５０２は、必ずしも、それぞれ、カバーレンズ５００を透過する各主光線の入射角度および出射角度が略０度となるような曲面形状に形成されなくとも良い。即ち、入射面５０１および出射面５０２は、少なくとも、カバーレンズ５００が平板状に形成される場合に比べて各主光線の入射角度および出射角度が小さくなるような曲面形状に形成されれば良い。しかしながら、上記実施の形態のように、入射面５０１および出射面５０２が、それぞれ、各主光線の入射角度および出射角度が略０度となるような曲面形状に形成される構成とすれば、カバーレンズ５００に起因する画質劣化の抑制効果を、より一層高めることができる。
【００７２】
また、上記実施の形態では、投写光学系として、投写レンズユニット２００と反射ミラー３００とが用いられた短焦点投写型のプロジェクタが例示された。しかしながら、本発明は、投写光学系に反射ミラーが用いられないプロジェクタに適用することもできる。たとえば、図９に示すように、投写レンズユニット５２の先端部が、本体キャビネット５１の前面から突出しないよう、投写レンズユニット５２が本体キャビネット５１内に配される。本体キャビネット５１の前面には、投写レンズユニット５２から出た映像光が通過する投写口５３が形成される。投写口５３には、カバーレンズ５４が配される。このカバーレンズ５４の入射面５５および出射面５６は、上記実施の形態と同様、それぞれ、各主光線の入射角度および出射角度が略０度となるような曲面形状に形成される。
【００７３】
さらに、上記実施の形態では、光変調ユニット１３を構成する光変調素子としてＤＭＤ１３４が用いられているが、これに限らず、液晶パネルが用いられても良い。
【００７４】
さらに、上記実施の形態では、光源ランプ１２１を有するランプユニット１２が用いられているが、ランプ光源以外の光源、たとえば、レーザ光源やＬＥＤ光源が用いられても良い。
【００７５】
この他、本発明の実施の形態は、特許請求の範囲に示された技術的思想の範囲内において、適宜、種々の変更が可能である。
【符号の説明】
【００７６】
１  本体キャビネット
４  投写口（開口部）
１２  ランプユニット
１２１  光源ランプ（光源）
１３  光変調ユニット
１３４  ＤＭＤ（光変調素子）
１５  投写光学ユニット（投写部）
２００  投写レンズユニット（投写レンズ部）
３００  反射ミラー（ミラー部）
５００、５５０  カバーレンズ（カバー）
５０１、５５１  入射面
５０２、５５２  出射面
５０３、５５３  ＡＲコート（反射防止膜）
【図１】
2013088727.tif 000003
【図２】
2013088727.tif 000004
【図３】
2013088727.tif 000005
【図４】
2013088727.tif 000006
【図５】
2013088727.tif 000007
【図６】
2013088727.tif 000008
【図７】
2013088727.tif 000009
【図８】
2013088727.tif 000010
【図９】
2013088727.tif 000011
【図１０】
2013088727.tif 000012